(57)【要約】【課題】フィードケーブル配置の自由度が高い配電ストリップを提供する。【解決手段】本発明に係る配電ストリップ１は、装置、デバイス乃至サーバキャビネット向けに電気エネルギを分配するためのストリップであって、上側面２、下側面３、２個の長い横側面及び２個の端面で形成される内部チャンバを有する。一方の端面６上にフィードケーブル１０を備える。その端面６が側面２に対しなす内角を１０５°以上とする。【選択図】図１
2014229611.tif 000002
【特許請求の範囲】
【請求項１】
装置乃至サーバキャビネット向けの電気エネルギ分配に使用される配電ストリップであって、上側面（２）、下側面（３）及び２個の長い横側面並びに第１端面（６）及び第２端面（７）により形成される内部チャンバと、第１端面（６）上に配設された電気エネルギ受給用のフィードケーブル（１０）と、上側面（２）上に設けられており電気エネルギ供給先の電力消費物が接続される複数個の接続手段（２１）と、を備える配電ストリップにおいて、
第１端面（６）が側面（２）に対し１０５°以上の内角を呈することを特徴とする配電ストリップ。
【請求項２】
請求項１記載の配電ストリップであって、内部チャンバの基本形態が、概ね、その端面上に楔要素がある直方体のそれに相当することを特徴とする配電ストリップ。
【請求項３】
請求項１又は２記載の配電ストリップであって、上側面（２）がその向かいにある下側面（３）より短く形成されていることを特徴とする配電ストリップ。
【請求項４】
請求項１乃至３のうちいずれか一項記載の配電ストリップであって、第１端面（６）に窪み（１２）が形成されており、内部チャンバ内に至るフィードケーブル（１０）用通過開口（１４）がその窪みの奥に形成されていることを特徴とする配電ストリップ。
【請求項５】
請求項４記載の配電ストリップであって、窪み（１２）がテーパ付きであることを特徴とする配電ストリップ。
【請求項６】
請求項４又は５記載の配電ストリップであって、窪み（１２）が上側面（２）まで延びることを特徴とする配電ストリップ。
【請求項７】
請求項４乃至６のうちいずれか一項記載の配電ストリップであって、窪み（１２）が曲凸状であることを特徴とする配電ストリップ。
【請求項８】
請求項１乃至７のうちいずれか一項記載の配電ストリップであって、フィードケーブル（１０）が第１端面（６）を略直交方向に過ぎることを特徴とする配電ストリップ。
【請求項９】
請求項１乃至８のうちいずれか一項記載の配電ストリップであって、フィードケーブル用通過開口（１４）の付近に可撓封止スリーブ（１６）が備わることを特徴とする配電ストリップ。
【請求項１０】
請求項１乃至９のうちいずれか一項記載の配電ストリップであって、下側面（３）と第１（６）及び第２端面との接触部それぞれにスロット状のクランプ手段（４１）が備わることを特徴とする配電ストリップ。
【請求項１１】
請求項１０記載の配電ストリップであって、装置乃至サーバキャビネット内に配電ストリップ（１）を固定できるよう第１固定手段（５１）及び第２固定手段（５２）がクランプ手段（４１）に設けられたことを特徴とする配電ストリップ。
【請求項１２】
請求項１乃至１１のうちいずれか一項記載の配電ストリップであって、
装置乃至サーバキャビネットの第１溝（６１）に挿入可能な第１固定手段（５１）と、
装置乃至サーバキャビネットに備わる溝のうち第１溝とは逆側にある第２溝（６２）にばね力で係合するよう設けられた第２固定手段（５２）と、
を備えることを特徴とする配電ストリップ。
【請求項１３】
請求項１２記載の配電ストリップであって、
配電ストリップ（１）から突出するよう第２固定手段（５２）が設けられており、且つ
配電ストリップ（１）方向のばね力に抗し押圧しうるよう第２固定手段（５２）が設けられていることを特徴とする配電ストリップ。
【請求項１４】
請求項１乃至１３のうちいずれか一項記載の配電ストリップであって、その配電ストリップ（１）の長さが、概ね、４２ハイトユニット（ＨＥ）を有する装置乃至サーバキャビネットに鉛直装着可能な長さであることを特徴とする配電ストリップ。
【請求項１５】
請求項１乃至１４のうちいずれか一項記載の配電ストリップ（１）を備えることを特徴とする装置キャビネット。
【発明の詳細な説明】
【技術分野】
【０００１】
本発明は装置、デバイス乃至サーバキャビネット向けに電気エネルギを分配する配電ストリップ、並びに当該配電ストリップを備えた装置キャビネットに関する。
【背景技術】
【０００２】
配電ストリップには、装置乃至サーバキャビネット内に配された電気・電子装置乃至構造ユニットに電気エネルギを分配する機能がある。即ち、電力消費物にエネルギを供給する機能である。供給を受ける装置乃至構造ユニットの例としてはサーバ例えばブレードサーバや、通信装置、気象管制装置乃至スイッチを挙げることができる。こうした配電ストリップは電力ストリップ、配電ユニット（ＰＤＵ）等とも呼ばれる。
【０００３】
一般に、配電ストリップでは、その上側面、下側面及び２個の長い横側面並びに第１及び第２端面によって内部チャンバが形成される。多くの場合、第１端面上に、電気エネルギ受給用のフィードケーブルが配される。フィードケーブルの役目は配電ストリップを外部エネルギ源例えば電力網に接続することである。更に、配電ストリップの上側面上には接続手段が設けられ、電気エネルギ供給を受けるべき電力消費物がそこに接続される。
【０００４】
こうした配電ストリップはしばしば装置乃至サーバキャビネット内に鉛直装着される。その場合、フィードケーブルを装置キャビネット内に通し電力接続部例えばソケットへと導き出すことが必要になる。この要領で、フィードケーブルを建屋乃至コンピュータセンタ電源に接続することができる。
【０００５】
ただ、配電ストリップの端面からフィードケーブルが引き出される構成では、装置乃至サーバキャビネット内でのフィードケーブル案内に関わる問題が発生する。即ち、端面上に引き出し口を設けるため、ケーブルの配置に係る自由度を十分高くするには、サーバキャビネットの構造的高さを大きくすることや、ケーブルの可撓性を非常に高くすることが必要になる。
【０００６】
しかし、フィードケーブルに高い可撓性が常に備わっているとは限らない。配電ストリップ内に好適にエネルギを供給すべく太め、ひいては堅固（リジッド）なケーブルを使用する場合が多々あるからである。そのため様々な構成の配電ストリップが提案されている。例えば、フィードケーブルの引き出しが第１端面からではなく側面（例えば上側面）から行われる構成のものである。そうした構成では、装置乃至サーバキャビネットの構造的高さが低くてもかまわないが、配電ストリップを使用する際の柔軟性も低くなる。これは、例えば、個別の配電ストリップをキャビネットの左又は右に組み込めるようにする必要があることを意味している。
【０００７】
他の構成、例えば複数本のフィードケーブルが主に側面上で配電ストリップ外へと案内される構成も知られている。こうした構成は例えば特許文献１に記載がある。
【０００８】
更に、複雑なフィードケーブル回転機構をその端面上に備える構成の配電ストリップも知られている。しかしながら、この回転機構はかなり多くのリソースを必要とするしエラーも発生しやすい。
【先行技術文献】
【特許文献】
【０００９】
【特許文献１】欧州特許第２３２１８８２号明細書（Ｂ１）
【発明の概要】
【発明が解決しようとする課題】
【００１０】
本発明の目的は、フィードケーブル配置の自由度が高い配電ストリップを提供することにある。
【課題を解決するための手段】
【００１１】
本発明の目的は、請求項１記載の特徴を備えた配電ストリップや請求項１５記載の特徴を備えた装置乃至サーバキャビネットにより達成される。
【００１２】
本発明の好適な実施形態は従属形式請求項や図面に基づく記載によって提供される。
【００１３】
本発明の一実施形態に係る配電ストリップでは、第１端面が側面に対し１０５°以上、好ましくは１１０〜１２０°の内角を呈する。
【００１４】
本発明の神髄は、リジッドな直方体類似の配電ストリップを改変し、フィードケーブル引き出し面である第１端面を、少なくとも一方の端面に対し斜めに設けたことである。これには、配電ストリップからのフィードケーブル引き出し角を所要値にすることができる、という長所がある。即ち、配電ストリップにおける第１端面・上側面間の角度を適宜設定することで、フィードケーブルの可撓性が低くても、所要角でのフィードケーブルの案内を簡便に実行することができる。例えば、上側面に対し９０°をなす方向や平行な方向へとフィードケーブルを案内することも、またそれを割合にリジッドなケーブルで実行することも、本発明では可能である。従来は、これを行うのに二種類の配電ストリップを設ける必要があった。
【００１５】
本発明の好適な実施形態に係る配電ストリップでは、配電ストリップ自体又は内部チャンバの基本形態を、概ね、その端面上に楔要素がある直方体のそれに相当する形態とする。本実施形態の形状は従来の直方体とは異なる形状である。楔要素は、例えば、第１端面及び対応する側面を通るように設ける。このようにすると、例えば上側面がその向かいにある下側面より短い構成になる。例えば、第１端面・上側面間の内角が１０５°以上、好ましくは１１０〜１２０°の構成である。
【００１６】
こうした構成では、フィードケーブルを、上側面に対し９０°をなす方向や、上側面に対し平行な方向や、その中間の方向に引き出すことができる。フィードケーブルの可撓性が低い場合でも、ケーブル案内方向を比較的高い自由度にて選定することができる。即ち、フィードケーブル出入り方向を、比較的短い距離で所要方向にすることができる。例えば上側面に対し９０°をなす方向にフィードケーブルを案内したい場合、第１端面が傾斜している分は、ケーブルによる曲げ角が小さい値例えば６０°ですむ。これに対し、従来の構成（端面に引き出し口があるもの）では、引き出し方向が上下側面に対しほぼ平行になるので、９０°の曲げを施す必要があった。
【００１７】
本発明の好適な実施形態では、第１端面に窪みを形成し、内部チャンバ内に至るフィードケーブル用通過開口をその窪みの奥に形成する。フィードケーブル用通過開口を窪み内に設けることで、フィードケーブルの曲げ角及び自由度を更に柔軟に発現させることができる。サーバキャビネット内配置に係る柔軟性も高まる。
【００１８】
更に、窪みをテーパ付きで形成するのが望ましい。こうした形成により、配電ストリップからのケーブル引き出し角範囲が拡がるので、所要曲げ角を抑え、その曲げ角によって達成される自由度を更に拡張することができる。
【００１９】
更に、窪みを上側面まで延ばすのが望ましい。この構成であれば、特に、上側面方向へのフィードケーブルの曲げを簡便に行うことができる。それにより、上側面に対し９０°をなす方向へのケーブル案内をかなり好適且つ簡便に実現することができる。フィードケーブルを上側面方向に更に遠くまで案内し、ケーブル・上側面間の角度を９０°未満にすることもできる。
【００２０】
更に、窪みを曲凸状にするのが望ましい。例えば半球状の形態である。自明な通り、こうした構成では、窪み内フィードケーブル出口にて出口角の変動即ち出口直後での方向変化を大きくしうるため、所要曲げ角を更に抑えることができる。
【００２１】
更に、フィードケーブルが第１端面を略直交方向に過ぎるようにするのが望ましい。これは特に第１端面通過乃至挿通に関わっているので、上側面に対し平行な面及び垂直な面の双方において、フィードケーブルの曲げ及び案内に関し最大限の自由度を提供することができる。
【００２２】
更に、通過開口付近に可撓封止スリーブを設けるのが望ましい。この封止スリーブの役目は、第１に、可能な限り防塵となるようフィードケーブルで通過開口を閉止することにある。第２に、通過開口をフィードケーブルより大径とし、通過開口内でフィードケーブルが動きうるようにすることにある。従って、配電ストリップに対するフィードケーブルの出入り角を第１端面に対し９０°未満にすることができる。
【００２３】
なお、本発明を理解するに際しては、「曲げ角」なる語を、第１端面上の通過開口を所要方向（フィードケーブル案内方向）に沿い通させる上でフィードケーブルを曲げる必要がある角度、という意味に解されたい。例えば従来の配電ストリップでは、フィードケーブルを上側面に対し９０°の角度で案内したい場合、曲げ角を９０°にする必要がある。
【００２４】
更に、下側面と第１及び第２端面との接触部それぞれにスロット状のクランプ手段を設けるのが望ましい。この構成では、例えば、装置乃至サーバキャビネット内に配電ストリップを固定するための第１固定手段及び第２固定手段を、そのクランプ手段に設けることができる。これら固定手段によって、配電ストリップを、装置キャビネット内に既存の対応要素に対し容易に連携させることができる。
【００２５】
特に、装置乃至サーバキャビネットの第１溝に挿入可能な第１固定手段と、装置乃至サーバキャビネットに備わる溝のうち第１溝とは逆側にある第２溝にばね力で係合するよう設けられた第２固定手段と、を備える構成にするのが望ましい。第１及び第２溝としては、その装置乃至サーバキャビネットの表面上に設けられた標準的な形状のものを使用することができる。第１及び第２固定手段をこのような形態で設けることで、配電ストリップを工具無しで実装することが可能になる。
【００２６】
この構成においては、装置乃至サーバキャビネットの第１溝内に第１固定手段で配電ストリップを装着することができる。続いて、ばね力に抗し、第１溝とは逆側にある第２溝内に第２固定手段を係合させることができる。
【００２７】
第２固定手段は、例えば、配電ストリップから突出するよう、且つ配電ストリップ方向のばね力に抗し押圧しうるよう設ける。第２固定手段を押圧するのに必要なばね力によって、稼働時には、配電ストリップを装置乃至サーバキャビネット内に固定保持させることができる。言い換えれば、第２固定手段を使用し乃至係合させる際にはそのばね力を克服する必要がある。
【００２８】
更に、配電ストリップの長さが、概ね、４２ハイトユニット（ＨＥ）を有する装置乃至サーバキャビネットに鉛直装着可能な長さであることが望ましい。特に重要なことに、こうした構成によれば、装置乃至サーバキャビネットにおけるフィードケーブルの配置自由度を高めること、ひいては装置乃至サーバキャビネット内利用可能空間の委細によらず同一の配電ストリップを常に使用することができる。装置乃至サーバキャビネット内利用可能空間の広さは、それに組み込まれている部材や、キャビネット自体の構成によって左右される。
【００２９】
本発明に係る配電ストリップは装置乃至サーバキャビネット内で使用することができる。配電ストリップの供給維持が簡便になる利点のほか、配電ストリップの柔軟性が高いことやフィードケーブルの配置自由度が高いことから、装置乃至サーバキャビネットの改修、改造、追加等に際しフィードケーブル案内に係る空間的な条件が変化しても新たな配電ストリップを組み込む必要がない、という利点がある。
【図面の簡単な説明】
【００３０】
【図１】本発明の一実施形態に係る配電ストリップの前部縦断面図である。
【図２】図１に示した配電ストリップの前部及びそこからまっすぐ案内されているフィードケーブルの斜視図である。
【図３】図１に示した配電ストリップの前部及びそこから上向きに案内されているフィードケーブルの斜視図である。
【図４】図１に示した配電ストリップの前部及びそこから下向きに案内されているフィードケーブルの斜視図である。
【図５】図１に示した配電ストリップの前部及びそこから右向きに案内されているフィードケーブルの斜視図である。
【図６】図１に示した配電ストリップの前部及びそこから左向きに案内されているフィードケーブルの斜視図である。
【図７】本実施形態に係る配電ストリップの前部にある固定手段を示す斜視図である。
【図８】本実施形態に係る配電ストリップの後部にある固定手段を示す斜視図である。
【図９】本実施形態に係り他の装置に組み込まれている配電ストリップの後部縦断面図である。
【図１０】本実施形態に係り他の装置に組み込まれている配電ストリップの前部縦断面図である。
【発明を実施するための形態】
【００３１】
以下、諸図を参照しつつ本発明の実施形態についてより詳細に説明する。
【００３２】
図１に、本発明の一実施形態に係る配電ストリップ１の前部縦断面を示す。この例では、上側面２、下側面３及び第１端面６が、左及び右側面（図示せず）並びに後端面と相俟ち、内部チャンバを形成している。第１端面６は、上側面２に対し約１１５°の角度（内角）をなしている。その結果、第１端面６・下側面３間の角度は約６５°となっている。
【００３３】
この図には、配電ストリップ１からのフィードケーブル１０の引き出され方が三通り示されている。
【００３４】
第１端面６上には窪み１２が形成され上側面２まで延びている。窪み１２の一端にはフィードケーブル１０用の通過開口１４が設けられている。この開口１４を介しフィードケーブル１０は配電ストリップ１内空間へと導かれる。通過開口１４付近には可撓封止スリーブ１６が配されている。これは、配電ストリップ１内への塵埃の進入を阻止乃至制限する一方、その可撓性を通じフィードケーブル１０の曲げ能向上に資する。
【００３５】
配電ストリップ１内には、第１端面６と略平行になるよう歪リリーフ手段２５が設けられている。歪リリーフ手段がフィードケーブルの外被に当接する部位以降では、個別の導体（図示せず）が電気エネルギ送給用の電子ユニットに接続されている。歪リリーフ手段２５は配電ストリップ１の内部チャンバ内に固定配設されている。従って、本実施形態では、フィードケーブル１０の配設に係る自由度を高めるために可動要素を設ける必要がない。
【００３６】
クランプ手段４１は、装置乃至サーバキャビネット内に配電ストリップ１をねじ止め乃至固定する手段を備えており、下側面３・第１端面６間接触部上に設けられている。
【００３７】
図２〜図６に、図１に示した実施形態に係る配電ストリップ１の前部を示す。これらの図ではフィードケーブル１０が様々な方向に向けられている。
【００３８】
図２においては、フィードケーブル１０が配電ストリップ１からほぼまっすぐに、即ち第１端面６に対し垂直に導かれている。図３では上曲がり、図４では下曲がりに案内されている。図５ではフィードケーブル１０が右曲がり、図６では左曲がりに案内されている。
【００３９】
図３〜図６からわかる通り、本実施形態では、端面６が傾斜しておりその端面６に窪み１２があるため、フィードケーブル１０を様々な方向に引き出し案内することができる。言い換えれば、フィードケーブルを、上側面２に対し平行な面やそれに対し直交する面に沿い、配電ストリップ１外へと案内することができる。これら二面に沿った案内は互いに排他的なものではないため、それらの面上での角度の組合せによって、フィードケーブル１０を案内する際の自由度を非常に高くすることができる。加えて、フィードケーブル１０に求められる方向に応じ曲げればよいので、従来技術に係る配電ストリップに比べケーブル自体の曲げ角が小さくてすむ。
【００４０】
本実施形態では、配電ストリップ１からの引き出し方の柔軟性に加え、フィードケーブル１０に備わる可撓性を利用することができる。
【００４１】
原理的には、窪み１２のない実施形態も考えられる。窪み１２のない実施形態に対し窪み１２がある実施形態が呈する利点の一つは、フィードケーブル１０の曲げ始め点が早くなる（配電ストリップ１の内部チャンバ内となる）ため、フィードケーブル１０をより速やかに所要方向に案内できる、という点である。「より速やかに」とは、曲げ角がより小さく速やかに達成できるという意味である。
【００４２】
本実施形態には、封止スリーブ１６を活用できるという利点もある。即ち、封止スリーブ１６が可撓性であるため、フィードケーブル１０を通過開口１４内で容易に動かすことができる。その分、フィードケーブル１０の可撓性が増すため、引き出し方向のバラエティも増す。
【００４３】
図７〜図１０に、本発明の一実施形態に係る配電ストリップ１の端面固定手段を示す。
【００４４】
図７に示したのは本実施形態に係る配電ストリップ１の前部斜視外観、図８に示したのは後部斜視外観である。第２固定手段５２は、下側面３・第１端面６間接触部上にあるクランプ手段４１に付設されている。
【００４５】
第１固定手段５１は、図８に示すように第２固定手段５２に対し相補的に設けられている。加えて、図８に示した配電ストリップ１の後部には幾つかの接続手段２１、例えば非加熱装置用のインレットコネクタ乃至ＩＥＣパワーコネクタ（ＩＥＣ  ６０３２０）が設けられている。原理的には、これらは任意の規格に従い設けることができる。
【００４６】
第２固定手段５２や第１固定手段５１は、クランプ手段４１のない配電ストリップ上に設けることもできる。クランプ手段４１を伴う構成ならば、様々な固定手段を利用することができる。例えば、図３〜図６に示す構成で様々な形態の固定手段を使用することができる。
【００４７】
配電ストリップ１の後部にも、下側面３・第２端面７間接触部上を占めるようにクランプ手段４１が設けられている。第１固定手段５１はそこに挿入されている。
【００４８】
図９及び図１０に第１固定手段５１及び第２固定手段５２の詳細を示す。
【００４９】
図９には、他の装置に組み込まれている配電ストリップ１の後部縦断面が示されている。図１０には、他の装置に組み込まれている配電ストリップ１の前部縦断面が示されている。
【００５０】
図９及び図１０は、本実施形態に係る配電ストリップ１が鉛直方向に沿い組み込まれている装置乃至サーバキャビネットの上部及び下部を示しているともいえる。第１固定手段５１はステップ状断面を呈しており、装置乃至サーバキャビネットの外縁に形成されている溝６１内にそのステップ状部分が挿入されている。従って、この固定手段５１は、対応する溝６１に対し相補的な形態で設けるのが望ましい。
【００５１】
第２固定手段５２も、図１０に示すように、サーバキャビネットの外縁に形成されている溝６２に挿入されている。この第２固定手段５２は、配電ストリップ１に対し傾斜した方向に延びる形態を呈している。第２固定手段５２は、溝６２内に係合する突出部を有している。第２固定手段５２は、配電ストリップ１の方向に沿った力により押し戻されうるよう構成されている。
【００５２】
こうした構成は、サーバ乃至装置キャビネット内に配電ストリップ１を装着するのに使用することができる。その際には、まず第１固定手段５１を溝６１内に挿入する。続いて、第２固定手段５２のばね力に抗する力を加えることで、配電ストリップ１を第２の溝６２に係合させる。従って、第２固定手段５２は、装着工程の途上で、配電ストリップ１の方向に押圧されることとなる。第２固定手段５２の突出部が溝６２内に入り込むと、そのばね力の作用で突出部が溝６２内に入り込み容易にクランプされる。配電ストリップ１はこうしてサーバキャビネット内に固定される。
【００５３】
このように、本発明に係る配電ストリップによれば、様々な配電ストリップを使用することなしに、フィードケーブルの配置自由度を高めることができる。
【図１】
2014229611.tif 000003
【図２】
2014229611.tif 000004
【図３】
2014229611.tif 000005
【図４】
2014229611.tif 000006
【図５】
2014229611.tif 000007
【図６】
2014229611.tif 000008
【図７】
2014229611.tif 000009
【図８】
2014229611.tif 000010
【図９】
2014229611.tif 000011
【図１０】
2014229611.tif 000012
【手続補正書】
【提出日】平成26年6月3日(2014.6.3)
【手続補正１】
【補正対象書類名】図面
【補正対象項目名】全図
【補正方法】変更
【補正の内容】
【図１】
2014229611.tif 000013
【図２】
2014229611.tif 000014
【図３】
2014229611.tif 000015
【図４】
2014229611.tif 000016
【図５】
2014229611.tif 000017
【図６】
2014229611.tif 000018
【図７】
2014229611.tif 000019
【図８】
2014229611.tif 000020
【図９】
2014229611.tif 000021
【図１０】
2014229611.tif 000022